(57)【要約】【課題】フェンスを傾斜地に構築する際に、斜めに変形させても縦線と横線が外れ難く、しかも、網目が広がり難い、高い強度を有するフェンス用格子金網を提供する。【解決手段】等間隔で一面側にのみ屈曲部２が形成された縦線１と、等間隔で屈曲部４が波形に形成された横線３とが格子網状に編まれ、縦線１の屈曲部２の上下の直線部５は、横線３の屈曲部４と交差し、左右端部の縦線１ａ、１ｂ、１ｃは、近接して３本、組になって配されているフェンス用格子金網において、３本、組になって配された縦線１ａ、１ｂ、１ｃ以外の縦線１ｄ、１ｅは、近接して２本、組になって配されている。【選択図】図４
2015004172.tif 000002
【特許請求の範囲】
【請求項１】
等間隔で一面側にのみ屈曲部が形成された縦線と、等間隔で屈曲部が波形に形成された横線とが格子網状に編まれ、前記縦線の前記屈曲部の上下の直線部は、前記横線の前記屈曲部と交差し、左右端部の前記縦線は、３本、組になって近接して配されているフェンス用格子金網において、前記３本、組になって配された縦線以外の前記縦線は、２本、組になって近接して配されていることを特徴とするフェンス用格子金網。
【請求項２】
上下端部の横線は、３本の横線が近接して組になって配され、前記３本の横線以外の横線は、２本の横線が近接して組になって、前記上下端部の３本の横線の組間に、間隔をあけて複数組配されていることを特徴とする、請求項１に記載のフェンス用格子金網。
【請求項３】
請求項１または２に記載のフェンス用格子金網を用いて構築されたことを特徴とするフェンス。
【発明の詳細な説明】
【技術分野】
【０００１】
この発明は、フェンス用格子金網およびフェンス、特に、フェンスを傾斜地に構築する際に、斜めに変形させても縦線と横線が外れ難く、しかも、動物の衝突等によって網目が広がり難い、高い強度を有するフェンス用格子金網、および、この金網を用いたフェンスに関するものである。
【背景技術】
【０００２】
例えば、山間地に建設された高速道路等においては、道路内への動物の侵入による事故を未然に防止するために、道路に沿って動物侵入防止用フェンスを構築する場合がある。
【０００３】
このような動物侵入防止フェンスは、道路の上り下りの傾斜に合わせて構築する必要があるが、フェンス用金網として、縦線と横線とを格子状に溶接した溶接格子金網を用いる場合には、道路の傾斜角度に合わせて傾斜させた格子金網を製作する必要があった。しかも、道路の傾斜角度は、一律ではないので、傾斜角度の異なる複数種類の格子金網（例えば、５°単位で傾斜した格子金網）を製作せざるを得ず、金網の製作は勿論のこと、フェンスの構築に多くの時間と手間を要し、結果的にコストがかかっていた。
【０００４】
これに対して、フェンス用金網としてクリンプ金網を用いると、金網を斜めに自在に変形させることができるので、いちいち道路の傾斜に合わせて金網を切断する必要がない。この結果、フェンスを容易に構築することができる。なお、クリンプ金網とは、それぞれ等間隔で屈曲部が形成された縦線と横線とを交互に交差させて格子網状に編んだ金網である。
【０００５】
クリンプ金網を用いた動物侵入防止フェンス用金網の一例が特許文献１に開示されている。以下、このフェンス用金網を従来金網Ａという。
【０００６】
従来金網Ａは、図５に示すように、等間隔で一面側にのみ屈曲部Ｄが形成された縦線１１と、等間隔で屈曲部Ｃが波形に形成された横線１２とを格子網状に編んだもので構成されている。
【０００７】
従来金網Ａによれば、左右端部の縦線１１が３本、近接して配されているので、左右端部の横線１２に、図５中、ａ方向とｂ方向の力が交互に作用する。この結果、左右端部の縦線１１が外れ難くい。
【０００８】
また、図５に示すように、上段横線１２ａ、中段横線１２ｂ、下段横線１２ｃにおいては、縦線１１ａの上、下部の直線部Ｌ１、Ｌ２と上、下段横線１２ａ、１２ｃの屈曲部Ｃ１、Ｃ２とが交差し、縦線１１ａと隣接する縦線１１ｂの直線部Ｌ３と中段の横線１２ｂの屈曲部Ｃ３とが交差することによって、上、中、下段の横線１２ａ、１２ｂ、１２ｃと縦線１１ａ、１１ｂとの結合力が増す。この結果、上下端部の横線１２が外れ難くい。
【先行技術文献】
【特許文献】
【０００９】
【特許文献１】特許第３８９９１１２号公報
【発明の概要】
【発明が解決しようとする課題】
【００１０】
上記従来金網Ａによれば、上下端部の横線および左右端部の縦線が外れ難く、しかも、フェンスを傾斜地に構築する際に、金網を斜めに自在に変形させることができるので、フェンスを容易に構築することができる。
【００１１】
しかしながら、従来金網Ａを使用した動物侵入防止用フェンスであっても、動物による大きな衝撃力により、図６に示すように、縦線１１が左右に、横線１２が上下に広げられ、このようにして広げられた網目Ｍから動物の侵入を許してしまうおそれがあった。
【００１２】
従って、この発明の目的は、フェンスを傾斜地に構築する際に、斜めに変形させても縦線と横線が外れ難く、しかも、網目が広がり難い、高い強度を有するフェンス用格子金網、および、この金網を用いたフェンスを提供することにある。
【課題を解決するための手段】
【００１３】
この発明は、上記目的を達成するためになされたものであり、下記を特徴とする。
【００１４】
請求項１に記載の発明は、等間隔で一面側にのみ屈曲部が形成された縦線と、等間隔で屈曲部が波形に形成された横線とが格子網状に編まれ、前記縦線の前記屈曲部の上下の直線部は、前記横線の前記屈曲部と交差し、左右端部の前記縦線は、３本、組になって近接して配されているフェンス用格子金網において、前記３本、組になって配された縦線以外の前記縦線は、２本、組になって近接して配されていることに特徴を有するものである。
【００１５】
請求項２に記載の発明は、請求項１に記載の発明において、上下端部の横線は、３本の横線が近接して組になって配され、前記３本の横線以外の横線は、２本の横線が近接して組になって、前記上下端部の３本の横線の組間に、間隔をあけて複数組配されていることに特徴を有するものである。
【００１６】
請求項３に記載の発明は、請求項１または２に記載のフェンス用格子金網を用いて構築されたことに特徴を有する。
【発明の効果】
【００１７】
この発明によれば、フェンスを傾斜地に構築する際に、斜めに変形させても縦線と横線が外れ難く、しかも、網目が広がり難い、高い強度を有するフェンス用格子金網、および、この金網を用いたフェンスを提供することができる。
【図面の簡単な説明】
【００１８】
【図１】この発明のフェンス用格子金網を示す正面図である。
【図２】この発明のフェンス用格子金網を示す部分拡大正面図である。
【図３】この発明のフェンス用格子金網を示す部分拡大平面図である。
【図４】この発明のフェンス用格子金網を示す部分拡大斜視図である。
【図５】従来金網Ａを示す部分拡大斜視図である。
【図６】網目が広げられた従来金網Ａを示す正面図である。
【発明を実施するための形態】
【００１９】
この発明のフェンス用格子金網（以下、本発明金網Ｂという。）の一実施態様を、図面を参照しながら説明する。
【００２０】
図１は、本発明金網Ｂを示す正面図、図２は、本発明金網Ｂを示す部分拡大正面図、図３は、本発明金網Ｂを示す部分拡大平面図、図４は、本発明金網Ｂを示す部分拡大斜視図である。
【００２１】
図１から図４に示すように、本発明金網Ｂは、等間隔で一面側にのみ屈曲部２が形成された縦線１と、等間隔で屈曲部４が波形に形成された横線３とを格子網状に編んだもので構成されている。
【００２２】
縦線１の屈曲部２の上下の直線部５は、従来金網Ａ（図５参照）におけると同様に、横線３の屈曲部４と交差している（図４参照）。左右端部の縦線１は、３本の縦線１ａ、１ｂ、１ｃが近接して組になって配されている。縦線１ａ、１ｂ、１ｃ以外の縦線１は、２本の縦線１ｄ、１ｅが近接して組になって配されている。
【００２３】
上下端部の横線３は、３本の横線３ａ、３ｂ、３ｃが近接して組になって配されている。横線３ａ、３ｂ、３ｃ以外の横線３は、２本の横線３ｄ、３ｅが近接して組になって配されている。この例では、横線３ｄ、３ｅの組は、上下端部の３本の横線３ａ、３ｂ、３ｃの組間に、間隔をあけて３組配されている。なお、横線３ｄ、３ｅの組は、３本の組であっても良い。
【００２４】
以上のように構成されている、本発明金網Ｂによれば、従来金網Ａにおけると同様に、左右端部の縦線１は、３本の縦線１ａ、１ｂ、１ｃが近接して組になって配されているので、左右端部の縦線１が外れ難くい。
【００２５】
また、従来金網Ａにおけると同様に、縦線１の屈曲部２の上下の直線部５は、横線３の屈曲部４と交差しているので、上下端部の横線２が外れ難くい。
【００２６】
しかも、縦線１ａ、１ｂ、１ｃ以外の縦線１は、２本の縦線１ｄ、１ｅが近接して組になって配されているので、従来金網Ａのように、縦線１ａ、１ｂ、１ｃ以外の縦線が１本の場合に比べて、網目が広がり難く、高い強度を有する。
【００２７】
すなわち、図５に示すように、縦線１１ａ、１１ｂがそれぞれ１本づつ離間して配されている場合には、例えば、縦線１１ｂと横線１２ｂとの交差部(横線２ｂの屈曲部１３Ｃ）において、縦線１１ｂの直線部Ｌ３に手前側から力が作用した場合、直線部Ｌ３は、横線１２ｂの奥側に配され、横線１２ｂにより拘束されていないので変形しやすい。
【００２８】
しかし、図４に示すように、縦線１ｄ、１ｅを組にして近接して配置すると、例えば、縦線１ｄの直線部５に手前側から力が作用した場合、直線部５は、横線３ｂの奥側に配され、横線３ｂにより拘束されていないので変形しやすいが、縦線１ｄと隣接して配された縦線１ｅの屈曲部２の奥側には、横線３ｂが配され、横線３ｂにより拘束されるので、縦線１ｄの直線部５の変形は最小限に抑えられる。この結果、網目が広がり難く、高い強度を有する格子金網が得られる。
【００２９】
上述した本発明金網Ｂを用いてフェンスを構築するには、本発明金網Ｂを支柱（図示せず）間に固定すれば良い。
【００３０】
このようにして構築されたフェンスによれば、図６に示すように、動物の衝突等により縦線１が上下に、横線３が左右に広げられ、このようにして広げられた網目Ｍからの動物の侵入を確実に防止することができる。
【符号の説明】
【００３１】
１、１ａから１ｅ：縦線
２：屈曲部
３、３ａから３ｅ：横線
４：屈曲部
５：直線部
１１、１１ａ、１１ｂ：縦線
１２：横線
１２ａ：上段横線
１２ｂ：中段横線
１２ｃ：下段横線
【図１】
2015004172.tif 000003
【図２】
2015004172.tif 000004
【図３】
2015004172.tif 000005
【図４】
2015004172.tif 000006
【図５】
2015004172.tif 000007
【図６】
2015004172.tif 000008